(57)【要約】【課題】分岐栓の分岐栓本体が外装部材内で回転することによって水栓への分岐栓の取付け作業が煩雑になることを防止することができ、且つ、分岐栓における分岐栓本体の横孔が形成される周方向の位置によらず接続部材を分岐栓本体に配置することができる、分岐栓を提供することを課題とする。【解決手段】湯側流路１１または水側流路１２に連通し且つ外周面に開口する横孔１４ａと外周面に開口する挿入孔１５ａとを有する分岐栓本体１０Ａと、第一貫通孔２２を有し分岐栓本体１０Ａが嵌装される外装部材２０と、横孔１４ａと連通するように分岐栓本体１０Ａの外周面にその周方向に形成される溝部５０と、第一接続部材３０Ａとを具備する分岐栓１Ａであって、第一接続部材３０Ａの一端部３３は、溝部５０と分岐孔とが連通するように外装部材２０の第一貫通孔２２に挿入されるとともに分岐栓本体１０Ａの挿入孔１５ａに挿入されて分岐栓本体１０Ａに固定される。【選択図】図１
2011102477.tif 000002
【特許請求の範囲】
【請求項１】
水栓に取付けられて、前記水栓から流入された湯または水を分岐させてこれを所定の接続装置に流出させる分岐栓であって、
その軸心方向に貫通する湯側流路と、該軸心方向に貫通する水側流路と、該湯側流路または該水側流路に連通し且つその外周面に開口する横孔と、該外周面に開口する挿入孔と、を有する分岐栓本体と、
その内周面から外周面にむけて貫通する第一貫通孔を有し、前記分岐栓本体が嵌装される外装部材と、
前記横孔と連通するように前記分岐栓本体の外周面の周方向に形成される第一溝と、前記第一貫通孔および前記横孔と連通するように前記外装部材における内周面の周方向に形成される第二溝と、のうち少なくともいずれか一方によって構成される溝部と、
前記分岐栓本体の挿入孔に挿入されるその軸心方向における一端部と、前記所定の接続装置に接続可能に構成される該軸心方向における他端部と、該軸心方向中途部の外周面に開口する分岐孔と、該他端部の端面に開口するとともに該分岐孔と連通する第一分岐流路と、を有する第一接続部材と、
を具備し、
前記第一接続部材の一端部は、前記溝部と前記分岐孔とが連通するように、前記外装部材の第一貫通孔に挿入されるとともに前記分岐栓本体の挿入孔に挿入されて、該外装部材と該分岐栓本体とのうち少なくとも何れか一方に固定される、分岐栓。
【請求項２】
前記外装部材は、その内周面から外周面にむけて貫通する第二貫通孔を有し、
前記分岐栓は、該外装部材に固定されるその軸心方向における一端部と、前記所定の接続機器に接続可能に構成される該軸心方向における他端部と、該軸心方向に貫通して該一端部の端面と該他端部の端面とに開口する第二分岐流路と、を有する第二接続部材をさらに具備し、
該第二接続部材の一端部は、前記溝部と前記第二分岐流路とが連通するように前記外装部材に固定される、請求項１に記載の分岐栓。
【請求項３】
前記第一接続部材は、前記分岐孔よりも前記一端部側において、前記第一分岐流路を閉塞する閉塞部を備える、請求項１または請求項２に記載の分岐栓。
【請求項４】
前記分岐栓本体の横孔と挿入孔とが一体的に構成され、
前記第一接続部材の第一分岐流路は、その軸心方向に貫通して前記第一接続部材の一端部の端面にも開口する、請求項１または請求項２に記載の分岐栓。
【発明の詳細な説明】
【技術分野】
【０００１】
本発明は、分岐栓の技術に関する。
【背景技術】
【０００２】
従来、水栓に取付けられて、前記水栓から流入された湯または水を分岐させてこれを所定の接続装置に流出させる分岐栓であって、その軸心方向に貫通する湯側流路と、該軸心方向に貫通する水側流路と、該湯側流路または該水側流路に連通し且つその外周面に開口する横孔と、を有する分岐栓本体と、その内周面から外周面にむけて貫通する貫通孔を有し前記分岐栓本体が嵌装される外装部材と、前記分岐栓本体の横孔に固定されるその軸心方向における一端部と、前記所定の接続装置に接続可能に構成される該軸心方向における他端部と、該軸心方向に貫通する分岐流路とを有する接続部材と、を具備し、該接続部材の一端部は、前記分岐栓本体の横孔とその分岐流路とが連通するように前記外装部材の貫通孔に挿入されるとともに前記分岐栓本体の横孔に固定される分岐栓は、公知となっている。例えば、特許文献１に示す如くである。
【０００３】
当該分岐栓は、水栓の構成部材であるカバーナットと水栓本体との間に配置されることによって、水栓に取付けられる。また、当該水栓の接続部材の他端部には、ホース等を介して所定の接続装置が接続される。
そして、当該分岐栓では、その接続部材の一端部が、外装部材の貫通孔に挿入されるとともに分岐栓本体の横孔に固定されることにより、当該横孔と連通する流路（湯側流路または水側流路）から接続部材の他端部に接続された接続装置に湯または水を分岐させつつ、外装部材内で分岐栓本体が回転して分岐栓の取付け作業が煩雑になることを防止している。
なお、当該所定の接続装置とは、浄水器や食洗機等を示す。
【先行技術文献】
【特許文献】
【０００４】
【特許文献１】特開２００２−８８８３３号公報
【発明の概要】
【発明が解決しようとする課題】
【０００５】
また、当該分岐栓の多くは、その構造を簡易にするために、その分岐栓本体の横孔は、湯側流路と水側流路のうち何れか一方の所望の流路にのみ連通するように構成されている。このことは、例えば、当該分岐栓における分岐栓本体の横孔が、湯側流路と水側流路のうち所望の流路に連通し、且つ、所望の流路でない流路にも連通している場合には、当該所望の流路でない流路と横孔とを閉塞させるための部材が必要となり、その構造が複雑になるためである。
【０００６】
しかしながら、このように分岐栓本体の横孔を湯側流路と水側流路のうち所望の流路にのみ連通させることにより、当該横孔が形成される周方向の位置は、所定の範囲内に制限されることとなる。そして、このように分岐栓本体の横孔を前記所望の流路にのみ連通させることにより、当該横孔に固定される接続部材の周方向の位置は、前記横孔の周方向の位置によって決定されて、当該横孔と同様に所定の範囲内に制限されることとなる。
このため、当該分岐栓では、その分岐栓本体における横孔が形成される周方向の位置によって、所定の接続装置を接続部材に接続することが困難な場合がある。また、当該分岐栓では、所定の接続装置を接続部材に接続することができても、当該接続装置を接続するためのホースを引き回して水栓回りが煩雑になる場合がある。
【０００７】
即ち、本発明は以上の如き状況に鑑みてなされたものであり、分岐栓の分岐栓本体が外装部材内で回転することによって水栓への分岐栓の取付け作業が煩雑になることを防止することができ、且つ、分岐栓における分岐栓本体の横孔が形成される周方向の位置によらず接続部材を分岐栓本体に配置することができる、分岐栓を提供することを課題とする。
【課題を解決するための手段】
【０００８】
本発明の解決しようとする課題は以上の如くであり、次にこの課題を解決するための手段を説明する。
【０００９】
即ち、請求項１においては、水栓に取付けられて、前記水栓から流入された湯または水を分岐させてこれを所定の接続装置に流出させる分岐栓であって、その軸心方向に貫通する湯側流路と、該軸心方向に貫通する水側流路と、該湯側流路または該水側流路に連通し且つその外周面に開口する横孔と、該外周面に開口する挿入孔と、を有する分岐栓本体と、その内周面から外周面にむけて貫通する第一貫通孔を有し、前記分岐栓本体が嵌装される外装部材と、前記横孔と連通するように前記分岐栓本体の外周面にその周方向に形成される第一溝と、前記第一貫通孔と連通するように前記外装部材における内周面にその周方向に形成される第二溝と、のうち少なくともいずれか一方によって構成される溝部と、前記分岐栓本体の挿入孔に挿入されるその軸心方向における一端部と、前記所定の接続装置に接続可能に構成される該軸心方向における他端部と、該軸心方向中途部の外周面に開口する分岐孔と、該他端部の端面に開口するとともに該分岐孔と連通する第一分岐流路と、を有する第一接続部材と、を具備し、前記第一接続部材の一端部は、前記溝部と前記分岐孔とが連通するように、前記外装部材の第一貫通孔に挿入されるとともに前記分岐栓本体の挿入孔に挿入されて、該外装部材と該分岐栓本体とのうち少なくとも何れか一方に固定されるものである。
【００１０】
請求項２においては、前記外装部材は、その内周面から外周面にむけて貫通する第二貫通孔を有し、
該外装部材に固定されるその軸心方向における一端部と、前記所定の接続機器に接続可能に構成される該軸心方向における他端部と、該軸心方向に貫通して該一端部の端面と該他端部の端面とに開口する第二分岐流路と、を有する第二接続部材をさらに具備し、該第二接続部材の一端部は、前記溝部と前記第二分岐流路とが連通するように前記外装部材に固定されるものである。
【００１１】
請求項３においては、前記第一接続部材は、前記分岐孔よりも前記一端部側において、前記第一分岐流路を閉塞する閉塞部を備えるものである。
【００１２】
請求項４においては、前記分岐栓本体の横孔と挿入孔とが一体的に構成され、前記第一接続部材の第一分岐流路は、その軸心方向に貫通して第一接続部材の一端部の端面にも開口するものである。
【発明の効果】
【００１３】
本発明の効果として、以下に示すような効果を奏する。
【００１４】
即ち、本発明によれば、分岐栓の分岐栓本体が外装部材内で回転することによって水栓への分岐栓の取付作業が煩雑になることを防止することができ、且つ、分岐栓における分岐栓本体の横孔が形成される位置によらず接続部材を分岐栓本体に配置することができる。
【図面の簡単な説明】
【００１５】
【図１】本発明に係る分岐栓と水栓との各構成部材とを示した側面図。
【図２】本発明の第一実施形態に係る分岐栓を示した平面図。
【図３】本発明の第一実施形態に係る分岐栓を示した背面図。
【図４】本発明の第一実施形態に係る分岐栓のＡ−Ａ断面図。
【図５】本発明の第一実施形態に係る分岐栓のＢ−Ｂ断面図。
【図６】本発明の別実施に係る分岐栓を示した側面断面図。
【図７】本発明の別実施に係る分岐栓を示した平面断面図。
【図８】本発明の第二実施形態に係る分岐栓を示した平面図。
【図９】本発明の第二実施形態に係る分岐栓を示した背面図。
【図１０】本発明の第二実施形態に係る分岐栓のＣ−Ｃ断面図。
【図１１】本発明の第二実施形態に係る分岐栓のＤ−Ｄ断面図。
【図１２】本発明の第三実施形態に係る分岐栓を示した平面図。
【図１３】本発明の第三実施形態に係る分岐栓を示した背面図。
【図１４】本発明の第三実施形態に係る分岐栓のＥ−Ｅ断面図。
【図１５】本発明の第三実施形態に係る分岐栓のＦ−Ｆ断面図。
【発明を実施するための形態】
【００１６】
次に、本発明に係る分岐栓１Ａの第一実施形態を図１から図７を用いて説明する。
分岐栓１Ａは、図１に示す如く、水栓６０の構成部材である水栓本体６１とカバーナット６３との間に配置されて水栓６０に取付けられ、所定の接続装置に分岐コック６５やホース６６等を介して接続される。そして、分岐栓１Ａは、水栓６０の水栓本体６１から流入される湯または水を、分岐栓１Ａ内で分岐させ、前記所定の接続装置に流出させる。
ここで、分岐栓１Ａが接続される前記所定の接続装置とは、浄水器や食洗機等を示す。
【００１７】
なお、分岐栓１Ａが取付けられていない通常の使用状態における水栓６０は、水栓本体６１とカートリッジ６２とカバーナット６３とハンドルレバー６４とを具備している。水栓本体６１内には、ボイラー等と接続される湯側流路管と、水道管と接続される水側流路管と、湯、水、または、湯水混合液が流通する混合流路管と、が設けられている。水栓本体６１の上下中途部の外周部には、混合流路管と連通し、前記湯水混合液等を外部に流出するためのスパウトが設けられている。また、水栓本体６１は、その上部にカートリッジ６２を内装するための筒形状のケースを備える。当該ケースの上端部の外周面には雄ネジが形成されている。カートリッジ６２による吐水および止水の切り替えや、湯および水の吐水量の調節は、ハンドルレバー６４の操作により行われる。そして、水栓６０は、水栓本体６１が台所の流し台に固定した状態に設けられ、当該水栓本体６１の上部にはカートリッジ６２とカバーナット６３とハンドルレバー６４とが順に配置されて構成されている。
【００１８】
分岐栓１Ａが取付けられた水栓６０においては、カートリッジ６２と、水栓本体６１の湯側流路管、水側流路管、および、混合流路管が、それぞれ分岐栓１Ａを介して接続されており、カートリッジ６２により、湯側流路管および水側流路管から供給される湯および水の混合流路管への、吐水および止水の切り替えや、湯および水の吐水量の調節が行われる。
【００１９】
分岐栓１Ａは、図２および図３に示す如く、分岐栓本体１０Ａと、外装部材２０と、第一接続部材３０Ａと、を具備する。なお、以下において、分岐栓１Ａは水栓本体６１から水を分岐させる場合の構成に係るものとして説明する。
【００２０】
分岐栓本体１０Ａは、図２から図５に示す如く、金属素材からなる部材であって、軸心方向を上下方向とする円柱形状に形成されている。分岐栓本体１０Ａは、湯側流路１１と、水側流路１２と、混合流路１３と、横孔１４ａと、挿入孔１５ａと、第一溝１６と、外突部１７とを有する。
【００２１】
湯側流路１１は、水栓本体６１の湯側流路管に接続され、湯側流路管から流入される湯を流通させ、カートリッジ６２に流出させる流路である。湯側流路１１は、分岐栓本体１０Ａの軸心方向に貫通され、図２および図５に示す平面視において上下の開口部が前右方に配置されるように形成されている。
なお、本説明では、図２および図５における上方を分岐栓１Ａの前方と、図２および図５における下方を分岐栓１Ａの後方と、適宜記載する。
【００２２】
水側流路１２は、水栓本体６１の前記水側流路管に接続され、水側流路管から流入される水を流通させ、カートリッジ６２に流出させる流路である。水側流路１２は、分岐栓本体１０Ａの軸心方向に湯側流路１１と平行に貫通され、図２および図５に示す平面視において上下の開口部が前左方に配置されるように形成されている。
【００２３】
混合流路１３は、カートリッジ６２から流入される、湯、水、または、湯水混合液を流通させ、水栓本体６１に流出させる流路である。混合流路１３は、分岐栓本体１０Ａの軸心方向に湯側流路１１および水側流路１２と平行に貫通され、図２および図５に示す平面視において上下の開口部が後方に配置されるように形成されている。
湯側流路１１、水側流路１２、および、混合流路１３のそれぞれの下端部（分岐栓本体１０Ａの湯側流路管、水側流路管、および混合流路管との接続部）には、水漏れ防止用の環状のパッキンが設けられている。
【００２４】
横孔１４ａは、所望の流路、即ち、分岐栓本体１０Ａの流路（湯側流路１１、または、水側流路１２）のうち、湯を分岐させたい場合には湯側流路１１に連通され、水を分岐させたい場合には水側流路１２に連通されて、当該所望の流路から湯または水を分岐させる孔である。
横孔１４ａは、本実施形態においては、水側流路１２に連通される。具体的には、横孔１４ａは、分岐栓本体１０Ａの軸心方向に対して略直角に、図５に示す平面視において分岐栓本体１０Ａの前左方の外周面から水側流路１２まで形成されている。つまり、横孔１４ａは、水側流路１２と連通し且つ分岐栓本体１０Ａの前左方の外周面で開口するように形成されている。
【００２５】
挿入孔１５ａは、第一接続部材３０Ａが挿入される孔であり、分岐栓本体１０Ａの軸心方向に対して略直角に、図５に示す平面視において分岐栓本体１０Ａの後方の外周面から混合流路１３まで形成されている。つまり、挿入孔１５ａは、混合流路１３と連通し且つ分岐栓本体１０Ａの後方の外周面で開口するように形成されている。
挿入孔１５ａは、分岐栓本体１０Ａの軸心方向（上下方向）におけるその位置が、分岐栓本体１０Ａの軸心方向（上下方向）における横孔１４ａの位置と略同一の位置となるように形成されている（図４参照）。
挿入孔１５ａの内周面には、雌ネジが形成されている。
【００２６】
第一溝１６は、分岐栓本体１０Ａの外周面の周方向に周状の溝が形成されることによって構成される。また、第一溝１６は、横孔１４ａおよび挿入孔１５ａと連通するように、その一部が、分岐栓本体１０Ａの外周面における横孔１４ａおよび挿入孔１５ａの開口部と一致するように形成されている。第一溝１６は、溝部５０として構成される。本例の場合、第一溝１６は分岐栓本体１０Ａの外周面の全周にわたって形成されている。
また、分岐栓本体１０Ａにおける第一溝１６の上下両側には、位置決め溝が各々形成されて、当該位置決め溝にＯリングが嵌装される（図４参照）。
【００２７】
外突部１７は、分岐栓本体１０Ａにおける下端部の外周面から半径方向外側に向けて突出し、周状に形成される。
【００２８】
外装部材２０は、分岐栓本体１０Ａが嵌装される金属素材からなる部材であって、外装本体２１Ａと、固定ナット２５と、を具備する。
【００２９】
外装本体２１Ａは、軸心方向を上下方向とする筒形状に形成される。また、外装本体２１Ａは、分岐栓本体１０Ａを嵌装可能なように、その内周面の径が分岐栓本体１０Ａ（外突部１７を除く）の外周面の径と略同一に形成される。
外装本体２１Ａにおける上下中途部および下部の外周面の径は、その上部の外周面の径よりも大きい径に形成される。
外装本体２１Ａにおける上下中途部には、外装本体２１Ａの軸心方向に対して略直角に、図５に示す平面視において外装本体２１Ａの後方の内周面から外周面に向けて貫通する第一貫通孔２２が形成される。第一貫通孔２２は、第一接続部材３０Ａが分岐栓本体１０Ａに固定される際に、該第一接続部材３０Ａが挿入される孔である。
外装本体２１Ａにおける上部の外周面には、カバーナット６３の開口部と螺合可能なように雄ネジが形成されている。
【００３０】
固定ナット２５は、分岐栓１Ａを水栓本体６１に取付けるための役割を果すものである。
固定ナット２５は、その内周面の径が、固定ナット２５内に分岐栓本体１０Ａの外突部１７を嵌装可能なように分岐栓本体１０Ａの外突部１７の外径と略同一に形成される。
【００３１】
固定ナット２５は、その上端部が内周面から半径方向内側に向けて突出し、周状に形成される内突部２６を有する。内突部２６は、その内径が固定ナット２５内に分岐栓本体１０Ａの外突部１７を除く部分を嵌装可能なように当該分岐栓本体１０Ａの外周面の径と略同一に形成される。
また、固定ナット２５の内突部２６を除く内周面には、水栓本体６１の開口部分に螺合可能なように雌ネジが形成される。
【００３２】
そして、固定ナット２５には、固定ナット２５の内突部２６と分岐栓本体１０Ａの外突部１７とが係合するように、下方から分岐栓本体１０Ａが嵌装される。
さらに、外装本体２１Ａには、下方から係る状態の分岐栓本体１０Ａが嵌装される。この際、外装本体２１Ａの第一貫通孔２２と分岐栓本体１０Ａの挿入孔１５ａとを一致させた状態で、外装本体２１Ａに分岐栓本体１０Ａが嵌装される。さらに、このように分岐栓本体１０Ａが外装本体２１Ａに嵌装された状態においては、水側流路１２と第一貫通孔２２とは、横孔１４ａおよび第一溝１６を介して連通することとなる。
このようにして外装部材２０（外装本体２１Ａおよび固定ナット２５）に、分岐栓本体１０Ａが嵌挿される。
【００３３】
第一接続部材３０Ａは、所定の接続装置に接続されて、水栓本体６１から分岐栓本体１０Ａに流入した湯や水を、当該所定の接続装置に分岐させる部材である。第一接続部材３０Ａは、金属素材からなる部材であり、挿入部３１と接続部３２とから構成される。
第一接続部材３０Ａの挿入部３１は円柱形状に形成され、その接続部３２は六角柱形状に形成されている。そして、第一接続部材３０Ａは、その挿入部３１と接続部３２との互いの軸心を一致させるように挿入部３１の一側面に接続部３２が一体的に設けられて構成されている。
【００３４】
ここで、第一接続部材３０Ａにおけるその軸心方向の挿入部３１側の端部は、第一接続部材３０Ａの軸心方向における一端部３３として構成される。第一接続部材３０Ａおけるその軸心方向の接続部３２側の端部は、第一接続部材３０Ａの軸心方向における他端部３４として構成される。
【００３５】
第一接続部材３０Ａにおける挿入部３１の外周面の径は、その一端部３３が外装本体２１Ａの第一貫通孔２２および分岐栓本体１０Ａの挿入孔１５ａに挿入されて分岐栓本体１０Ａの挿入孔１５ａに接合可能なように、外装本体２１Ａの第一貫通孔２２および分岐栓本体１０Ａの挿入孔１５ａにおける内周面の径と略同一に形成される。
第一接続部材３０Ａにおける挿入部３１の外周面には、分岐栓本体１０Ａにおける挿入孔１５ａにその一端部３３が挿入されて挿入孔１５ａと螺合可能なように、雄ネジが形成されている。第一接続部材３０Ａにおける接続部３２の外周面には、前記所定の接続装置に接続可能なように雄ネジが形成される。
【００３６】
第一接続部材３０Ａの挿入部３１における軸心方向の長さは、一端部３３が外装本体２１Ａの第一貫通孔２２に挿入されるとともに分岐栓本体１０Ａの挿入孔１５ａに挿入可能な長さに構成される。
【００３７】
さらに、第一接続部材３０Ａは、分岐孔３６と第一分岐流路３５ａとを有する。
第一接続部材３０Ａの分岐孔３６は、その軸心と直交するように挿入部３１における軸心方向中途部の外周面に開口し、夫々９０度位相をずらして４つ形成されている。また、分岐孔３６は、第一接続部材３０Ａが外装本体２１Ａの第一貫通孔２２に挿入されるとともに分岐栓本体１０Ａの挿入孔１５ａに挿入されて分岐栓本体１０Ａに固定された際に、これが溝部５０（分岐栓本体１０Ａの第一溝１６）と連通する位置に形成される。
【００３８】
第一接続部材３０Ａの第一分岐流路３５ａは、その他端部３４の端面に開口するとともに分岐孔３６と連通するようにして、第一接続部材３０Ａの軸心方向に沿って形成される。
もっとも、第一分岐流路３５ａは、閉塞部３７を備える。閉塞部３７とは、分岐孔３６よりも一端部３３側において、第一分岐流路３５ａを閉塞するものである。第一接続部材３０Ａでは、第一分岐流路３５ａが分岐孔３６と連通し且つ一端部３３の端面に開口しないように形成されることにより、分岐孔３６よりも一端部３３側において第一分岐流路３５ａを閉塞する閉塞部３７を備える構成とされる。
【００３９】
第一接続部材３０Ａにおける分岐孔３６より接続部３２側における挿入部３１の外周面には、位置決め溝が形成されており、当該位置決め溝に水漏れ防止用の環状のパッキンが設けられている。
【００４０】
そして、第一接続部材３０Ａは、前記のように外装部材２０（外装本体２１Ａおよび固定ナット２５）に分岐栓本体１０Ａが嵌挿された状態で、その一端部３３が、外装本体２１Ａの第一貫通孔２２に挿入されるとともに分岐栓本体１０Ａの挿入孔１５ａに挿入されて、これの雄ネジと挿入孔１５ａの雌ネジとを螺合させることによって、分岐栓本体１０Ａに固定される。この場合、第一接続部材３０Ａの雄ネジと分岐栓本体１０Ａの挿入孔１５ａの雌ネジとの間は、接着剤等のシール材を介装するなどして水密的にシールされる。
【００４１】
このように第一接続部材３０Ａが分岐栓本体１０Ａに固定された際に、第一接続部材３０Ａの分岐孔３６と溝部５０（分岐栓本体１０Ａの第一溝１６）とが連通することとなる。即ち、このように第一接続部材３０Ａが分岐栓本体１０Ａに固定された際に、分岐栓本体１０Ａの水側流路１２と第一接続部材３０Ａの第一分岐流路３５ａとは、横孔１４ａ、溝部５０、および分岐孔３６を介して連通することとなる。
以上のようにして、分岐栓１Ａは構成される。
【００４２】
分岐栓１Ａが、水栓６０に取付けられる手順について具体的に説明する。
まず、水栓本体６１の上に分岐栓１Ａを載置する。この際、水栓本体６１の湯側流路管と分岐栓本体１０Ａの湯側流路１１との夫々の開口位置、水栓本体６１の水側流路管と分岐栓本体１０Ａの水側流路１２との夫々の開口位置、および、水栓本体６１の混合液流路管と分岐栓本体１０Ａの混合流路１３との夫々の開口位置を、一致させるようにして、水栓本体６１の上に分岐栓１Ａを載置する。
このように水栓本体６１の上に分岐栓１Ａを載置することで、前記湯側流路管と湯側流路１１とが、前記水側流路管と水側流路１２とが、および、前記混合液流路管と混合流路１３とが、それぞれ連通されることとなる。つまり、水栓本体６１の前記水側流路管と、第一接続部材３０Ａの第一分岐流路３５ａとは、水側流路１２、横孔１４ａ、溝部５０（第一溝１６）、および分岐孔３６、を介して連通することとなる。
【００４３】
次に、固定ナット２５を水栓本体６１に接合させる。具体的には、固定ナット２５を外装本体２１Ａに対して回転させて固定ナット２５の内周面に形成された雌ネジと、水栓本体６１のケースの雄ネジとを螺合させていく。このように固定ナット２５の雌ネジと水栓本体６１の雄ネジとを螺合させていくことにより、固定ナット２５の内突部２６と分岐栓本体１０Ａの外突部１７とが係合されて、分岐栓本体１０Ａの下端部が水栓本体６１のケースに押圧されて、分岐栓１Ａが水栓本体６１に取付けられる。
【００４４】
そして、当該分岐栓１Ａにおける分岐栓本体１０Ａの上部に、カートリッジ６２を載置する。
さらに、外装本体２１Ａの上部とカバーナット６３とを接合させる。具体的には、ハンドルレバー６４が取付けられたカバーナット６３をカートリッジ６２にかぶせて、当該カバーナット６３の雌ネジと外装本体２１Ａの上部の雄ネジとを螺合させてこれらを接合させる。
このようにして、分岐栓１Ａは水栓６０に取付けられる。
【００４５】
以上のように分岐栓１Ａでは、その第一溝１６は、分岐栓本体１０Ａの外周面にその周方向に、周状の溝が形成されることによって構成される。分岐栓本体１０Ａの第一溝１６は、横孔１４ａおよび挿入孔１５ａと連通するように形成される。このため、分岐栓１Ａでは、分岐栓本体１０Ａの横孔１４ａが形成される周方向の位置によらず、挿入孔１５ａを分岐栓本体１０Ａに形成することができる。
また、第一接続部材３０Ａは、その一端部３３が、外装本体２１Ａの第一貫通孔２２に挿入されるとともに分岐栓本体１０Ａの挿入孔１５ａに挿入されて、分岐栓本体１０Ａに固定される。そして、このように第一接続部材３０Ａが分岐栓本体１０Ａに固定された際に、分岐栓本体１０Ａの水側流路１２と第一接続部材３０Ａの第一分岐流路３５ａとは、横孔１４ａ、溝部５０、および分岐孔３６を介して連通することとなる。さらに、このように第一接続部材３０Ａが分岐栓本体１０Ａに固定されることによって、分岐栓本体１０Ａが外装部材２０内で回転することが防止される。
したがって、分岐栓１Ａによれば、分岐栓本体１０Ａが外装部材２０内で回転することによって水栓への分岐栓の取付け作業が煩雑になることを防止することができ、且つ、分岐栓本体１０Ａの横孔１４ａが形成される周方向の位置によらず第一接続部材３０Ａを分岐栓本体１０Ａに配置することができる。
【００４６】
分岐栓本体１０Ａの挿入孔１５ａは、混合流路１３と連通するように形成されている。もっとも、第一接続部材３０Ａは、分岐孔３６よりも一端部３３側において第一分岐流路３５ａを閉塞する閉塞部３７を備える。
このため、分岐栓１Ａでは、分岐栓本体１０Ａの挿入孔１５ａと、分岐栓本体１０Ａの流路（湯側流路１１、水側流路１２、または混合流路１３）と、が連通するような場合でも、当該分岐栓本体１０Ａの流路と第一接続部材３０Ａの第一分岐流路３５ａとの連通は、閉塞部３７により遮断される。他方、分岐栓１Ａでは、分岐栓本体１０Ａの流路（湯側流路１１、または、水側流路１２）のうち第一接続部材３０Ａの第一分岐流路３５ａと連通させたい所望の流路と、第一接続部材３０Ａの第一分岐流路３５ａとは、分岐栓本体１０Ａの横孔１４ａ、第一溝１６、および第一接続部材３０Ａの分岐孔３６を介して連通している。
したがって、分岐栓１Ａでは、その第一接続部材３０Ａの第一分岐流路３５ａを、溝部５０および分岐孔３６を介して前記所望の流路（湯側流路１１、または、水側流路１２）にのみ連通させて、当該所望の流路からのみ水や湯を分岐させることができる。
【００４７】
挿入孔１５ａは、分岐栓本体１０Ａの軸心方向（上下方向）におけるその位置が、分岐栓本体１０Ａの軸心方向（上下方向）における横孔１４ａの位置と略同一の位置となるように形成されている。つまり、挿入孔１５ａは、これの軸心と横孔１４ａの軸心とが一致するように形成されている。
第一溝１６は、分岐栓本体１０Ａの外周面にその周方向に周状の溝が形成されることによって構成される。また、第一溝１６は、横孔１４ａおよび挿入孔１５ａと連通するように、その一部が、分岐栓本体１０Ａの周面における横孔１４ａおよび挿入孔１５ａの開口部と一致するように形成されている。
したがって、分岐栓１Ａによれば、この軸心方向の長さを従来の分岐栓と比べて長く構成することなく、本発明に係る分岐栓を実現することができる。
【００４８】
なお、横孔１４ａは、水栓本体６１から湯を分岐させたい場合には、湯側流路１１に連通するように形成されていてもよいものとする。
【００４９】
分岐栓１Ａの溝部５０は、図６および図７に示す如く、第一溝１６に代えて第二溝２４によって構成されても良いものとする。
具体的には、第二溝２４は、外装本体２１Ａの内周面の周方向に周状の溝が形成されることによって構成される。また、第二溝２４は、第一貫通孔２２および横孔１４ａと連通するように、その一部が、外装本体２１Ａの内周面における横孔１４ａの開口部と一致するように形成されている。本例の場合、第二溝２４は、外装本体２１Ａの内周面の全周にわたって形成されている。
そして、当該第二溝２４を有する外装本体２１Ａに、固定ナット２５に嵌装された分岐栓本体１０Ａを下方から嵌装する。この際、外装本体２１Ａの第一貫通孔２２と分岐栓本体１０Ａの挿入孔１５ａとを一致させた状態で、外装本体２１Ａに分岐栓本体１０Ａが嵌装される。さらに、このように分岐栓本体１０Ａが外装本体２１Ａに嵌装された状態においては、水側流路１２と第一貫通孔２２とは、横孔１４ａおよび第二溝２４を介して連通することとなる。
なお、分岐栓１Ａの溝部５０は、第一溝１６と第二溝２４とによって構成されても良いものとする。
【００５０】
第一接続部材３０Ａは、分岐栓本体１０Ａに固定されているが、外装部材２０に固定されても良いものとする。例えば、外装本体２１Ａの第一貫通孔２２の内周面に雌ネジを形成する。そして、第一接続部材３０Ａの一端部３３が、当該第一貫通孔２２に挿入されるとともに分岐栓本体１０Ａの挿入孔１５ａに挿入されて、前記第一貫通孔２２の雌ネジと第一接続部材３０Ａの雄ネジとを螺合させることによって、第一接続部材３０Ａが外装部材２０（外装本体２１Ａ）に固定されてもよいものとする。
【００５１】
第一接続部材３０Ａがその一端部３３の端面を閉塞する閉塞部３７を備える構成は、一端部３３の開口を閉塞するような構成であればよく、例えば、第一接続部材３０Ａの軸心を貫通するように第一分岐流路３５ａを形成して、所定の閉塞部材でその一端部３３の開口を閉塞する構成としても良いものとする。
【００５２】
次に、図８から図１１を用いて、本発明に係る分岐栓の第二実施形態について説明する。なお、第二実施形態に係る分岐栓１Ｂは、第一実施形態に係る分岐栓１Ａと同様の構成を有する部分があるため、本実施形態に係る分岐栓１Ｂの説明は、分岐栓１Ａと同様の構成の部分については適宜省略し、分岐栓１Ａの構成と異なる部分を中心に説明する。
【００５３】
分岐栓１Ｂは、図８および図９に示す如く、分岐栓本体１０Ｂと、外装部材２０と、第一接続部材３０Ａと、第二接続部材４０とを具備する。
【００５４】
分岐栓本体１０Ｂは、図８および図１１に示す如く、湯側流路１１と、水側流路１２と、混合流路１３と、横孔１４ａと、挿入孔１５ｂと、第一溝１６と、外突部１７とを有する。
【００５５】
挿入孔１５ｂは、第一接続部材３０Ａが挿入される孔であり、分岐栓本体１０Ｂの軸心方向に対して略直角に、図１１に示す平面視において分岐栓本体１０Ｂの右方の外周面から湯側流路１１まで形成されている。つまり、挿入孔１５ｂは、湯側流路１１と連通し且つ分岐栓本体１０Ｂの右方の外周面で開口するように形成されている。
挿入孔１５ｂは、分岐栓本体１０Ｂの軸心方向（上下方向）におけるその位置が、分岐栓本体１０Ｂの軸心方向（上下方向）における横孔１４ａの位置と略同一の位置となるように形成されている（図１０参照）。
挿入孔１５ｂの内周面には、雌ネジが形成されている。
【００５６】
第一溝１６は、横孔１４ａおよび挿入孔１５ｂと連通するように、その一部が、分岐栓本体１０Ｂの外周面における横孔１４ａおよび挿入孔１５ｂの開口部と一致するように形成されている。
【００５７】
外装部材２０は、分岐栓本体１０Ｂが嵌装される金属素材からなる部材であって、外装本体２１Ｂと、固定ナット２５と、を具備する。
【００５８】
外装本体２１Ｂにおける上下中途部には、外装本体２１Ｂの軸心方向に対して略直角に、図１１に示す平面視において外装本体２１Ｂの右方の内周面から外周面に向けて貫通する第一貫通孔２２が形成される。
外装本体２１Ｂにおける上下中途部には、外装本体２１Ｂの軸心方向に対して略直角に、図１１に示す平面視において外装本体２１Ｂの左方の内周面から外周面に向けて貫通する第二貫通孔２３が形成される。
つまり、第一貫通孔２２と第二貫通孔２３とは左右対称となるように形成されている。また、第一貫通孔２２と第二貫通孔２３とは、それぞれ上下方向において略同一の位置に形成されている。
第二貫通孔２３の内周面には、第二接続部材４０と螺合可能な雌ネジが形成されている。
【００５９】
外装本体２１Ｂには、固定ナット２５が嵌装された分岐栓本体１０Ｂが、下方から嵌装される。この際、外装本体２１Ｂの第一貫通孔２２と分岐栓本体１０Ｂの挿入孔１５ｂとを一致させた状態で、外装本体２１Ｂに分岐栓本体１０Ｂが嵌装される。そして、このように分岐栓本体１０Ｂが外装本体２１Ｂに嵌装された状態においては、水側流路１２と第一貫通孔２２とは、横孔１４ａおよび第一溝１６を介して連通することとなる。
このようにして外装部材２０（外装本体２１Ｂおよび固定ナット２５）に、分岐栓本体１０Ｂが嵌挿される。
【００６０】
そして、第一接続部材３０Ａは、前記のように外装部材２０（外装本体２１Ｂおよび固定ナット２５）に分岐栓本体１０Ｂが嵌挿された状態で、その一端部３３が、外装本体２１Ｂの第一貫通孔２２に挿入されるとともに分岐栓本体１０Ｂの挿入孔１５ｂに挿入されて、分岐栓本体１０Ａに固定される。
【００６１】
このように第一接続部材３０Ａが分岐栓本体１０Ｂに固定された際に、第一接続部材３０Ａの分岐孔３６と溝部５０（分岐栓本体１０Ｂの第一溝１６）とが連通することとなる。即ち、このように第一接続部材３０Ａが分岐栓本体１０Ｂに固定された際に、分岐栓本体１０Ｂの水側流路１２と第一接続部材３０Ａの第一分岐流路３５ａとは、横孔１４ａ、溝部５０、および分岐孔３６を介して連通することとなる。
【００６２】
第二接続部材４０は、所定の接続装置に接続されて、水栓本体６１から分岐栓本体１０Ｂに流入した湯や水を、当該所定の接続装置に分岐させる部材である。第二接続部材４０は、金属素材からなる部材であり、挿入部４１と接続部４２とから構成される。
第二接続部材４０の挿入部４１は円柱形状に形成され、その接続部４２は六角柱形状に形成されている。そして、第二接続部材４０は、その挿入部４１と接続部４２との互いの軸心を一致させるように挿入部４１の一側面に接続部４２が一体的に設けられて構成されている。
【００６３】
ここで、第二接続部材４０におけるその軸心方向の挿入部４１側の端部は、第二接続部材４０の軸心方向における一端部４３として構成される。第二接続部材４０おけるその軸心方向の接続部４２側の端部は、第二接続部材４０の軸心方向における他端部４４として構成される。
【００６４】
第二接続部材４０における挿入部４１の外周面の径は、その一端部４３が外装本体２１Ｂの第二貫通孔２３に挿入されて当該第二貫通孔２３に接合可能なように、外装本体２１Ｂにおける第二貫通孔２３の内周面の径と略同一に形成される。
第二接続部材４０における挿入部４１の外周面には、外装本体２１Ｂにおける第二貫通孔２３にその一端部４３が挿入されて第二貫通孔２３と螺合可能なように、雄ネジが形成されている。第二接続部材４０における接続部４２の外周面には、前記所定の接続装置に接続可能なように雄ネジが形成される。
第二接続部材４０の挿入部４１における軸心方向の長さは、外装本体２１Ｂにおける第二貫通孔２３の軸心方向の長さと略同一に構成される。
【００６５】
さらに、第二接続部材４０は、第二分岐流路４５を有する。
第二分岐流路４５は、その一端部４３の端面および他端部４４の端面に開口するとともに、第二接続部材４０の軸心を貫通するようにして形成される。
【００６６】
そして、第二接続部材４０は、その一端部４３が、外装本体２１Ｂの第二貫通孔２３に挿入されて、これの雄ネジと第二貫通孔２３の雌ネジとを螺合させることによって、外装本体２１Ｂに固定される。この場合、第二接続部材４０の雄ネジと外装本体２１Ｂの第二貫通孔２３の雌ネジとの間は、接着剤等のシール材を介装するなどして水密的にシールされる。
【００６７】
このように第二接続部材４０が外装本体２１Ｂに固定された際に、第二接続部材４０の第二分岐流路４５と溝部５０（分岐栓本体１０Ｂの第一溝１６）とが連通することとなる。即ち、このように第二接続部材４０が外装本体２１Ｂに固定された際に、分岐栓本体１０Ｂの水側流路１２と第二接続部材４０の第二分岐流路４５とは、横孔１４ａ、および、溝部５０を介して連通することとなる。
以上のようにして、分岐栓１Ｂは構成される。
【００６８】
分岐栓１Ｂでは、このように第一接続部材３０Ａが分岐栓本体１０Ｂに固定された際に、分岐栓本体１０Ｂの水側流路１２と第一接続部材３０Ａの第一分岐流路３５ａとは、横孔１４ａ、溝部５０、および分岐孔３６を介して連通することとなる。
また、分岐栓１Ｂでは、このように第二接続部材４０が外装本体２１Ｂに固定された際に、第二接続部材４０の第二分岐流路４５と溝部５０（分岐栓本体１０Ｂの第一溝１６）とが連通することとなる。
さらに、このように第一接続部材３０Ａが分岐栓本体１０Ｂに固定されることによって、分岐栓本体１０Ｂが外装部材２０内で回転することが防止される。
【００６９】
したがって、分岐栓１Ｂによれば、分岐栓本体１０Ｂが外装部材２０内で回転することによって水栓への分岐栓１Ｂの取付け作業が煩雑になることを防止することができ、且つ、分岐栓本体１０Ｂの横孔１４ａが形成される周方向の位置によらず、第一接続部材３０Ａを分岐栓本体１０Ａに、第二接続部材４０を外装部材２０に配置することができる。
また、分岐栓１Ｂによれば、２つの接続部材（第一接続部材３０Ａおよび第二接続部材４０）にそれぞれ所定の接続装置を接続して、水のみまたは湯のみを、当該２台の所定の接続装置に同時に分岐させることができる。よって、分岐栓１Ｂによれば、このような水のみまたは湯のみを２台の接続装置に同時に分岐することができ、且つ、分岐栓本体１０Ｂの横孔１４ａが形成される周方向の位置によらず、第一接続部材３０Ａを分岐栓本体１０Ａに、第二接続部材４０を外装部材２０に配置することができる分岐栓を、簡易構造で実現することができる。
【００７０】
次に、図１２から図１５を用いて、本発明に係る分岐栓の第三実施形態について説明する。なお、第三実施形態に係る分岐栓１Ｃは、第一実施形態に係る分岐栓１Ａおよび第二実施形態に係る分岐栓１Ｂと同様の構成を有する部分があるため、本実施形態に係る分岐栓１Ｃの説明は、分岐栓１Ａおよび分岐栓１Ｂと同様の構成の部分については適宜省略し、分岐栓１Ａおよび分岐栓１Ｂの構成と異なる部分を中心に説明する。
【００７１】
分岐栓１Ｃは、図１２および図１３に示す如く、分岐栓本体１０Ｃと、外装部材２０（外装本体２１Ｂおよび固定ナット２５）と、第一接続部材３０Ｃと、第二接続部材４０とを具備する。
【００７２】
分岐栓本体１０Ｃは、図１２および図１５に示す如く、湯側流路１１と、水側流路１２と、混合流路１３と、横孔１４ｃと、挿入孔１５ｃと、第一溝１６と、外突部１７とを有する。
【００７３】
分岐栓本体１０Ｃの横孔１４ｃと挿入孔１５ｃとは、一体的に構成される。
当該一体的に構成される横孔１４ｃおよび挿入孔１５ｃ（以下、一体孔１８と称する）は、分岐栓本体１０Ｃの軸心方向に対して略直角に、図１５に示す平面視において分岐栓本体１０Ｃの左方の外周面から水側流路１２まで形成されている。つまり、一体孔１８は、水側流路１２と連通し且つ分岐栓本体１０Ｃの左方の外周面で開口するように形成されている。
一体孔１８の内周面には、雌ネジが形成されている。
【００７４】
第一溝１６は、一体孔１８と連通するように、その一部が、分岐栓本体１０Ｃの外周面における一体孔１８の開口部と一致するように形成されている。
【００７５】
外装本体２１Ｂには、固定ナット２５が嵌装された分岐栓本体１０Ｃが、下方から嵌装される。この際、外装本体２１Ｂの第一貫通孔２２と分岐栓本体１０Ｃの一体孔１８とを一致させた状態で、外装本体２１Ｂに分岐栓本体１０Ｃが嵌装される。そして、このように分岐栓本体１０Ｃが外装本体２１Ｂに嵌装された状態においては、水側流路１２と第一貫通孔２２とは、一体孔１８および第一溝１６を介して連通することとなる。
このようにして外装部材２０（外装本体２１Ｂおよび固定ナット２５）に、分岐栓本体１０Ｃが嵌挿される。
【００７６】
第一接続部材３０Ｃは、分岐孔３６と第一分岐流路３５ｃとを有する。
第一接続部材３０Ｃの第一分岐流路３５ｃは、その一端部３３の端面およびその他端部３４の端面に開口するとともに、分岐孔３６と連通するようにして、第一接続部材３０Ｃの軸心を貫通するようにして形成される。即ち、第一接続部材３０Ｃは、閉塞部３７を備えないように構成される。
【００７７】
そして、第一接続部材３０Ｃは、前記のように外装部材２０（外装本体２１Ｂおよび固定ナット２５）に分岐栓本体１０Ｃが嵌挿された状態で、その一端部３３が、外装本体２１Ｂの第一貫通孔２２に挿入されるとともに分岐栓本体１０Ｃの一体孔１８（挿入孔１５ｃ）に挿入されて、これの雄ネジと一体孔１８の雌ネジとを螺合させることによって、分岐栓本体１０Ｃに固定される。
【００７８】
このように第一接続部材３０Ｃが分岐栓本体１０Ｃに固定された際に、第一分岐流路３５ｃと分岐栓本体１０Ｃの水側流路１２とが直接連通し、且つ、分岐孔３６と溝部５０（分岐栓本体１０Ｃの第一溝１６）とが連通することとなる。即ち、このように第一接続部材３０Ｃが分岐栓本体１０Ｃに固定された際に、分岐栓本体１０Ｃの水側流路１２と溝部５０とは、第一接続部材３０Ｃの第一分岐流路３５ｃおよび分岐孔３６を介して連通することとなる。
【００７９】
第二接続部材４０は、その一端部４３が、外装本体２１Ｂの第二貫通孔２３に挿入されて、これの雄ネジと第二貫通孔２３の雌ネジとを螺合させることによって、外装本体２１Ｂに固定される。
このように第二接続部材４０が外装本体２１Ｂに固定された際に、第二接続部材４０の第二分岐流路４５と溝部５０（分岐栓本体１０Ｃの第一溝１６）とが連通することとなる。即ち、このように第二接続部材４０が外装本体２１Ｂに固定された際に、分岐栓本体１０Ｃの水側流路１２と第二接続部材４０の第二分岐流路４５とは、第一分岐流路３５ｃ、分岐孔３６、および、溝部５０を介して連通することとなる。
以上のようにして、分岐栓１Ｃは構成される。
【００８０】
分岐栓１Ｃでは、このように第一接続部材３０Ｃが分岐栓本体１０Ｃに固定された際に、分岐栓本体１０Ｃの水側流路１２と溝部５０とは、第一分岐流路３５ｃおよび分岐孔３６を介して連通することとなる。
また、分岐栓１Ｃでは、このように第二接続部材４０が外装本体２１Ｂに固定された際に、分岐栓本体１０Ｃの水側流路１２と第二接続部材４０の第二分岐流路４５とは、第一分岐流路３５ｃ、分岐孔３６、および、溝部５０を介して連通することとなる。
さらに、このように第一接続部材３０Ｃが分岐栓本体１０Ｃに固定されることによって、分岐栓本体１０Ｃが外装部材２０内で回転することが防止される。
【００８１】
したがって、分岐栓１Ｃによれば、分岐栓本体１０Ｃが外装部材２０内で回転することによって水栓への分岐栓の取付け作業が煩雑になることを防止することができ、且つ、分岐栓本体１０Ｂの横孔１４ａが形成される周方向の位置によらず、第二接続部材４０を外装部材２０に配置することができる。
また、分岐栓１Ｃによれば、２つの接続部材（第一接続部材３０Ｃおよび第二接続部材４０）にそれぞれ所定の接続装置を接続して、水のみまたは湯のみを、当該２台の所定の接続装置に同時に分岐させることができる。よって、分岐栓１Ｃによれば、このような水のみまたは湯のみを２台の接続装置に同時に分岐することができる分岐栓を、簡易構造で実現することができる。
【００８２】
分岐栓本体１０Ｃの横孔１４ｃと挿入孔１５ｃとは、一体的に構成される。
したがって、分岐栓１Ｃによれば、横孔１４ｃ用の孔と挿入孔１５ｃ用の孔とを夫々形成する必要がないため、このような水のみまたは湯のみを２台の接続装置に同時に分岐することができる分岐栓の製造コストを低減させることができる。
さらに、分岐栓１Ｃによれば、分岐栓本体１０Ｃの径が小さくて、これに横孔１４ｃと挿入孔１５ｃとをそれぞれ形成することが困難な場合にも、このような水のみまたは湯のみを２台の接続装置に同時に分岐することができる分岐栓を容易に実現することができる。
【符号の説明】
【００８３】
１Ａ・１Ｂ・１Ｃ  分岐栓
１０Ａ・１０Ｂ・１０Ｃ  分岐栓本体
１１  湯川流路
１２  水側流路
１３  混合流路
１４ａ・１４ｃ  横孔
１５ａ・１５ｂ・１５ｃ  挿入孔
１６  第一溝
２０  外装部材
３０Ａ・３０Ｃ  第一接続部材
３３  一端部
３４  他端部
３５ａ・３５ｃ  第一分岐流路
３６  分岐孔
５０  溝部
【図１】
2011102477.tif 000003
【図２】
2011102477.tif 000004
【図３】
2011102477.tif 000005
【図４】
2011102477.tif 000006
【図５】
2011102477.tif 000007
【図６】
2011102477.tif 000008
【図７】
2011102477.tif 000009
【図８】
2011102477.tif 000010
【図９】
2011102477.tif 000011
【図１０】
2011102477.tif 000012
【図１１】
2011102477.tif 000013
【図１２】
2011102477.tif 000014
【図１３】
2011102477.tif 000015
【図１４】
2011102477.tif 000016
【図１５】
2011102477.tif 000017